(57)【要約】【課題】投影を行わない保管時や運搬時にも投影高さ調整装置の備える機構を活用することのできるプロジェクタを提供する。【解決手段】プロジェクタ装置Ｐのハンドル２は、ギア２３を備えた脚部２１の回動に伴い、筐体Ｋの上下方向に移動する。ハンドル支持機構は、脚部２１を支持する脚ベース３及びハンドルホルダー５を投影高さ調整脚ケース１に収納している。ハンドルホルダー５は、スプリング５６によりギア５２をギア２３に押し付け、リリースボタン４の操作でギア５２による押付を解く。筐体Ｋは、筐体Ｋの側面に沿って回動自在に脚ベース３を支持する脚ホルダー７を備えている。脚ホルダー７は、固定ピン用スプリング８２により固定ピン８１を脚ベース３側に付勢している。脚ベース３には、投影高さ調整脚ケース１の回転操作に伴い、固定ピン８１を解除自在に係止する固定ピン用溝３２が設けられている。【選択図】  図４
2009134229.tif 000002
【特許請求の範囲】
【請求項１】
筐体の側面に備えられた支持部と、
前記筐体の側面に沿って回動自在に前記支持部に脚部を支持され、前記脚部の回動動作に伴い、投影用レンズが備えられた前記筐体の前方を通って、前記筐体の上下方向に移動するハンドルとを備え、
前記支持部は、前記脚部の延伸方向に移動自在に前記脚部を支持する伸長量調整部と、
前記側面に沿って回動自在に前記伸長量調整部を前記筐体に支持する回転量調整部とを備えていることを特徴とするプロジェクタ。
【請求項２】
前記ハンドルは、前記脚部の延伸方向に沿って嵌合歯を複数連設させて構成された被嵌合部を備え、
前記伸長量調整部は、前記被嵌合部が備える嵌合歯に嵌合する嵌合部と、前記嵌合部を前記被嵌合部に押し付けて前記脚部の延伸方向への移動を規制する移動規制手段と、前記移動規制手段による前記嵌合部の押付を解いて、前記被嵌合部への前記嵌合部の嵌合を解除する規制解除手段とを備えていることを特徴とする請求項１に記載のプロジェクタ。
【請求項３】
前記回転量調整部は、前記側面に沿って回転自在に前記伸長量調整部を前記筐体に支持する回転支持部と、
所定の回転角度で前記伸長量調整部の回転動作を解除自在に規制する回転規制手段とを備えていることを特徴とする請求項１又は請求項２に記載のプロジェクタ。
【請求項４】
前記回転規制手段は、前記伸長量調整部側及び前記筐体側に移動自在に前記回転支持部に備えられた回転規制体と、前記回転規制体を前記伸長量調整部側に付勢して前記伸長量調整部に係止させる付勢手段とを備えていることを特徴とする請求項３に記載のプロジェクタ。
【請求項５】
前記回転規制体は、半球形状の先端を備え、
前記伸長量調整部は、前記付勢手段により付勢された前記回転規制体の先端が、その回転動作に従い摺接する摺接面及び係止される係止面を備えていることを特徴とする請求項４に記載のプロジェクタ。
【発明の詳細な説明】
【技術分野】
【０００１】
本発明は、設置面からの筐体の高さを変動させて投影高さを調整する投影高さ調整装置を備えたプロジェクタに関する。
【背景技術】
【０００２】
従来、プロジェクタには、下記の特許文献１に示すように、設置面からの筐体の高さを変動させて投影高さを調整する投影高さ調整装置を備えたものがある。投影高さ調整装置は、筐体を設置面に支持する先端脚の、筐体からの延出量及び延出角度を変動させることにより、プロジェクタによる投影高さを調整する。先端脚を備えた軸は、筐体の左右の両側部に設けられた外ケースから、筐体の側面に沿って延出されている。外ケースには、摘みが設けられている。
【０００３】
摘みが引きあげられると、先端脚の延出量を変動させることができる。摘みの引きあげが解除されると、先端脚の延出量が固定される。また、外カバーが回転操作されると、筐体に対する先端脚の延出角度が変動する。外カバーが所定角度回転すると、筐体からの先端脚の延出角度が解除自在に固定される。
【０００４】
【特許文献１】２００５−３７７５６号公報
【発明の開示】
【発明が解決しようとする課題】
【０００５】
上記従来のプロジェクタが備える投影高さ調整装置は、プロジェクタによる投影時の投影高さの調整に用いられるのみで、投影を行わない保管時や運搬時にも投影高さ調整装置の備える機構を活用することが望まれていた。
【０００６】
本発明は斯かる課題に鑑みてなされたもので、上記課題を解決できるプロジェクタを提供することを目的とする。
【課題を解決するための手段】
【０００７】
このような目的を達成するために、本発明は、筐体の側面に備えられた支持部と、前記筐体の側面に沿って回動自在に前記支持部に脚部を支持され、前記脚部の回動動作に伴い、投影用レンズが備えられた前記筐体の前方を通って、前記筐体の上下方向に移動するハンドルとを備え、前記支持部が、前記脚部の延伸方向に移動自在に前記脚部を支持する伸長量調整部と、前記側面に沿って回動自在に前記伸長量調整部を前記筐体に支持する回転量調整部とを備えていることを特徴とする。
また、本発明は、前記ハンドルが、前記脚部の延伸方向に沿って嵌合歯を複数連設させて構成された被嵌合部を備え、前記伸長量調整部が、前記被嵌合部が備える嵌合歯に嵌合する嵌合部と、前記嵌合部を前記被嵌合部に押し付けて前記脚部の延伸方向への移動を規制する移動規制手段と、前記移動規制手段による前記嵌合部の押付を解いて、前記被嵌合部への前記嵌合部の嵌合を解除する規制解除手段とを備えていることを特徴とする。
また、本発明は、前記回転量調整部が、前記側面に沿って回転自在に前記伸長量調整部を前記筐体に支持する回転支持部と、所定の回転角度で前記伸長量調整部の回転動作を解除自在に規制する回転規制手段とを備えていることを特徴とする。
また、本発明は、前記回転規制手段が、前記伸長量調整部側及び前記筐体側に移動自在に前記回転支持部に備えられた回転規制体と、前記回転規制体を前記伸長量調整部側に付勢して前記伸長量調整部に係止させる付勢手段とを備えていることを特徴とする。
また、本発明は、前記回転規制体が、半球形状の先端を備え、前記伸長量調整部が、前記付勢手段により付勢された前記回転規制体の先端が、その回転動作に従い摺接する摺接面及び係止される係止面を備えていることを特徴とする。
【発明の効果】
【０００８】
本発明によれば、運搬時の取っ手や保管時の投影レンズカバーとして用いることのできるハンドルを投影高さの調整に用いていることから、投影時だけでなく運搬時や保管時にも、投影高さ調整装置を活用することができる。
【発明を実施するための最良の形態】
【０００９】
以下、図面を参照して、本発明の最良の形態を説明する。
図１は、本実施形態のプロジェクタ装置Ｐの外観を示す前方からの斜視図である。また、図２は、プロジェクタ装置Ｐの天面図である。図３は、プロジェクタ装置Ｐの側面図である。
【００１０】
図１に示すように、プロジェクタ装置Ｐの筐体Ｋは、上下の一対の天ケースＫ１及び底ケースＫ２を組み合わせて構成されて、略四角箱形の外観形状を有している。筐体Ｋの前面では、投影用レンズＰ１が外部を臨んでいる。筐体Ｋの左右の両側面には、投影高さ調整脚ケース１がそれぞれ設けられている。投影高さ調整脚ケース１は、筐体Ｋの側面の前端部に、上下方向の中央部に位置して設けられている。投影高さ調整脚ケース１の側面からは、後述するハンドル２の脚部２１が延びている。
【００１１】
投影高さ調整脚ケース１の内部には、詳しくは後述するが、ハンドル２の左右の脚部２１を支持するためのハンドル支持機構の構成部品が内蔵されている。図１及び図３に示すように、筐体Ｋの上面及び下面には、固定後脚Ｋ３１及び調整後脚Ｋ３２が、それぞれ設けられている。固定後脚Ｋ３１及び調整後脚Ｋ３２は、筐体Ｋの上面及び下面の後端部に位置しており、互いが対になって左右の両側部に設けられている。各調整後脚Ｋ３２は、投影用レンズＰ１による左右方向の投影高さを調整するためのものであり、筐体Ｋの上面又は下面に螺着されている。調整後脚Ｋ３２は、螺子操作されることにより、筐体Ｋの上面又は下面からの突出量を変動させる。筐体Ｋは、固定後脚Ｋ３１及び調整後脚Ｋ３２により後端側を支持され、ハンドル２により前端側を支持されて、設置面に対する高さ及び姿勢を調整される。
【００１２】
次に、図４〜図７を参照して、プロジェクタ装置Ｐが備えるハンドル支持機構の構成について説明する。図４及び図５は、プロジェクタ装置Ｐが備えるハンドル支持機構の構成の概略を示す図であり、図４は右上方向から，図５は正面上方向からの分解斜視図である。図６は、図２のＡ−Ａ線での断面図である。また、図７は、図３のＢ−Ｂ線での断面図である。
【００１３】
ハンドル支持機構は、筐体Ｋに対するハンドル２の延出長さ及び延出角度を変動させるためのものであり、投影高さ調整脚ケース１及び筐体Ｋに内蔵されている。ハンドル支持機構は、図４及び図５に示すように、ハンドル２の脚部２１を支持する脚ベース３と、脚ベース３に対するハンドル２の延出長さを固定するハンドルホルダー５と、脚ベース３を筐体に軸支する脚ホルダー７とを備えている。
【００１４】
ハンドル２は、四角棒を略コの字状に屈曲させた形状を有しており（図１参照）、左右の屈曲部分から脚部２１が構成されている。両脚部２１間に位置して左右に延びるハンドル２の中央部には、ハンドルカバー２２が取り付けられている。各脚部２１の長さ方向の中央部には、内面にギア２３が、外面にロック溝２４が、それぞれ設けられている。ロック溝２４及びギア２３は、それぞれ脚部２１の延伸方向に沿って伸びている。ギア２３は、脚部２１の内面に形成された矩形の凹部に、略三角形の断面形状を有する嵌合歯を、その延設方向に複数配列して構成されている。各脚部２１の基端部には、内面から外面にかけて貫通するストッパ取付孔２５が設けられている。ストッパ取付孔２５には、ハンドルストッパ２６が嵌め込まれる。ハンドルストッパ２６は丸棒状を呈しており、縮径された一端を内側からストッパ取付孔２５に嵌め込まれる。
【００１５】
投影高さ調整脚ケース１は、円形の平板の下端部に略矩形の切欠部を設けた形状の外板に、周縁から内方に延びる側板を設けた概略形状を有している。投影高さ調整脚ケース１の上端部の側板には、内縁から外方に延びる矩形の脚部挿通用切欠部１１が設けられている。また、下端部の前後で向かい合う一対の側壁間には、ボタン収容部１２が構成されている。ボタン収容部１２の前後の側壁間には、その外縁よりもやや内方に外縁を位置させて、円弧状の支持板体１３が掛け渡されている。支持板体１３は、後述するリリースボタン４を支持すると共にリリースボタン４の操作限を規定するためのものである。
【００１６】
投影高さ調整脚ケース１の前後の側板の内面には、一対の係止突起１４が設けられている。係止突起１４は、脚ベース３を投影高さ調整脚ケース１に係止するための突起である。投影高さ調整脚ケース１の上縁部の内面には、螺子止めボス１５が設けられている。螺子止めボス１５の端面には、脚ベース３を投影高さ調整脚ケース１に螺子止めするための螺子止め穴１５ａが開口している。また、図６に示すように、投影高さ調整脚ケース１の外板の内面からは、内方に向けて移動規制ボス１６が延びている。移動規制ボス１６は、脚部挿通用切欠部１１の外側縁部よりもやや内方に端面を位置させている。
【００１７】
図４及び図５に示すように、リリースボタン４は、投影高さ調整脚ケース１のボタン収容部１２に嵌め込まれることにより、投影高さ調整脚ケース１とで円形蓋状の外観形状を呈する（図１参照）。リリースボタン４の内面の前後の両側部からは、一対のレバー４１が内方に向けて板状に延びている。レバー４１は、リリースボタン４の内面の前後の縁部に沿って形成されている。各レバー４１には、リリースボタン４の前後の側方に向けて突出した係止突起４２が、レバー４１の内端部の下縁部に設けられている。リリースボタン４は、投影高さ調整脚ケース１の外側からボタン収容部１２に挿入され、ボタン収容部１２の上板と支持板体１３との間にレバー４１を位置させて、投影高さ調整脚ケース１に支持される。
【００１８】
脚ベース３は、略円盤状を呈した回転制御体３Ａの外面に、ホルダ収容部３Ｂ及びハンドル支持部３Ｃを上下方向に並べて備えている。回転制御体３Ａの内面の中央部からは、円筒状の回転軸ボス３１が、内方に向けて突設されている。回転軸ボス３１は、その端面から外方に延びるネジ穴３１ａを備えている。また、回転制御体３Ａの内面には、回転軸ボス３１を中心とする円周上に等間隔で形成された４つの固定ピン用溝３２と、固定ピン用溝３２よりやや径の長い円周上に形成された回転制御用凸部３３とが備えられている。
【００１９】
各固定ピン用溝３２は、球面状を呈して回転制御体３Ａの外面側に窪んでいる。回転制御用凸部３３は、回転軸ボス３１を挟んで向かい合って対称に配置されている。また、回転制御体３Ａの上端部の後側には、脚ベース３を投影高さ調整脚ケース１にネジ止めするネジの挿通されるベース取付孔３４が形成されている。また、回転制御体３Ａの前後の両側部には、外方に向けてコの字状に湾曲した係止湾曲部３５が設けられている。
【００２０】
ホルダ収容部３Ｂは、ハンドルホルダー５を収容するためのものであり、回転制御体３Ａの外面から外方に向けて、略四角筒状を呈して延びている。ホルダ収容部３Ｂには、ハンドルホルダー５を軸支するための軸支孔３６が、前後の側壁に穿設されている。また、前後の側壁の下端部には、後述するリリースボタン４を脚ベース３に係止させるためのボタン係止孔３７が設けられている。ホルダ収容部３Ｂの上壁及び下壁には、外方への延出方向中央部に位置して、ハンドル２の脚部２１を挿通させるための脚部案内孔３８が設けられている。脚部案内孔３８より外方の下壁には、下側突起３９が設けられている。下側突起３９は、下壁の上面の前後の中央部から上方に突設されている。
【００２１】
ハンドル支持部３Ｃは、ホルダ収容部３Ｂの上側に連接されており、略四角ブロック状を呈している。ハンドル支持部３Ｃは、脚部案内孔３８の内側の側面と面一にさせて外面を連ねており、前後の両縁部を脚部案内孔３８の前後の側面よりもやや前後の側方に位置させている。ハンドル支持部３Ｃの外面の前後の両側縁部には、外方に向けてガイド突条４０が突設されている。ガイド突条４０は、ハンドル２の脚部２１の両側を支持してハンドル２の移動をガイドするためのものである。両ガイド突条４０間の間隔は、ハンドル２の脚部２１の幅とほぼ等しい長さに設定されている。ハンドル支持部３Ｃの上端部には、ハンドル２が備えるハンドルストッパ２６を収容するストッパ収容部３Ｄが設けられている。
【００２２】
ハンドルホルダー５は、四角ブロック体に上面から下面にかけて貫通する脚部挿通孔５１を設け、ストッパ取付孔２５より内側を下方に向けてブロック状に延出させた概略Ｌ形の形状を有している。下方に突出したハンドルホルダー５の外面には、ギア５２が設けられている。ギア５２には、略三角形の断面形状を有する嵌合歯が、その延設方向に複数配列されている。ハンドルホルダー５の前後の両側の上端部には、内側部に位置して、ホルダー支持軸５３が突設されている。また、図６に示すように、脚部挿通孔５１より外側のハンドルホルダー５の下面には、ハンドルホルダー５の前後の中央部に位置して、上側突起５４が形成されている。
【００２３】
ハンドルホルダー５は、ギア５２を外方に向けて内側から脚ベース３のホルダ収容部３Ｂに収容され、ホルダー支持軸５３を軸支孔３６に挿入されて、脚ベース３に軸支される。ホルダ収容部３Ｂに収容されたハンドルホルダー５は、脚部挿通孔５１を脚部案内孔３８と重ね合わせている。脚ベース３の下側突起３９とハンドルホルダー５の上側突起５４との間には、スプリング５６が介装される。図６に示すように、スプリング５６は、一端を上側突起５４に外嵌され、他端を下側突起３９に外嵌されて、脚部挿通孔５１より外側のハンドルホルダー５を上方に付勢している。この付勢力により、ハンドルホルダー５にはホルダー支持軸５３（図４，図５参照）を支点とする図６中反時計回り方向への回動力が働いている。
【００２４】
ハンドルホルダー５を組み付けられた脚ベース３は、リリースボタン４を組み付けられて円形蓋状を呈した投影高さ調整脚ケース１に収納される。投影高さ調整脚ケース１に収納された脚ベース３は、ホルダ収容部３Ｂ等を備える外面を、投影高さ調整脚ケース１の内面に向かい合わせ、係止湾曲部３５に係止突起１４を係止されている。また、内面側からベース取付孔３４を挿通された脚ケース固定ネジ５５を、外面側に位置する投影高さ調整脚ケース１の螺子止め穴１５ａに螺着されることにより、投影高さ調整脚ケース１に固定されている。このようにして、脚ベース３及びハンドルホルダー５が、投影高さ調整脚ケース１に組み付けられてユニット化される。
【００２５】
図４及び図５に示すように、脚ホルダー７は、矩形の平板の上縁部及び下縁部を内方に向けて略直角に屈曲させると共に、中央部を断面コの字状に外方に湾曲させて円形の湾曲部７１を設けた概略形状を有している。天ケースＫ１及び底ケースＫ２の左右の側板部には、半円状の切欠部Ｋ４が設けられており、湾曲部７１は、両切欠部Ｋ４を組み合わせて構成される円形の開口に嵌め込まれる。湾曲部７１の内面の中央部には、内方に向けて延びる円筒状の軸支ボス７２が備えられている。
【００２６】
軸支ボス７２は、その端面から脚ホルダー７の外面にかけて貫通する軸支孔７２ａを備えている。湾曲部７１の内面には、軸支ボス７２を挟んで向かい合う位置に、一対のピン収容ボス７４が設けられている。両ピン収容ボス７４は、脚ベース３の回転軸ボス３１を挟んで向かい合う一対の固定ピン用溝３２と回転軸ボス３１との配置関係と同様の配置関係を軸支ボス７２との間に有して、軸支ボス７２を中心とする円周上に設けられている。
【００２７】
図７に示すように、ピン収容ボス７４には、脚ホルダー７の外面に開口する収容凹部７４ａが設けられている。収容凹部７４ａは、円形の開口形状を有して、ピン収容ボス７４の端部まで延びている。ピン収容ボス７４の端部に位置する収容凹部７４ａの最奥部は、平坦に構成されており、中央部にはピン収容ボス７４の端面にかけて貫通するピン挿通孔７４ｂが設けられている。収容凹部７４ａには、後述する固定ピン８１及び固定ピン用スプリング８２が収容される。
【００２８】
図４に示すように、脚ホルダー７の外面には、軸支孔７２ａを中心とする円周上に延びて環状を呈した２つの突条７５ａ，７５ｂが備えられている。突条７５ａは、軸支孔７２ａと収容凹部７４ａとの間を通っている。突条７５ｂは、湾曲部７１の周縁近傍を通っている。突条７５ａと突条７５ｂとの間に位置する脚ホルダー７の外面には、一対の回転制御用凸部７６が設けられている。両回転制御用凸部７６は、軸支孔７２ａを挟んで向かい合って配置されている。両回転制御用凸部７６は、脚ベース３の一対の回転制御用凸部３３と回転軸ボス３１との配置関係と同様の配置関係を軸支孔７２ａとの間に有して、軸支孔７２ａを中心とする円周上に設けられている。
【００２９】
図４及び図５に示すように、脚ホルダー７の上端部及び下端部の屈曲部分には、その前後の両側部に位置して、挿通孔７７ａ及び取付孔７７ｂが設けられている。挿通孔７７ａは、天ケースＫ１及び底ケースＫ２に脚ホルダー７を位置決めするための孔である。取付孔７７ｂは、天ケースＫ１及び底ケースＫ２に位置決めされた脚ホルダー７を螺子止めする螺子７８の挿通孔である。天ケースＫ１の天板部及び底ケースＫ２の底板部には、取付孔７７ｂを挿通した螺子７８の螺子止めされる螺子止部Ｋ５ａ及び挿通孔７７ａに嵌合される嵌合部Ｋ５ｂが設けられている。
【００３０】
脚ホルダー７が備えるピン収容凹部７４ａに収容される固定ピン８１は、丸棒状を呈しており、先端部にはフランジ部８１ａがその全周に亘って環状に設けられている。固定ピン８１の先端部と反対側の係止端部には、嵌合溝８１ｂがその全周に亘って環状に設けられている。固定ピン８１の先端は、半球形状を呈している。固定ピン８１には、固定ピン用スプリング８２が外嵌される。
【００３１】
図７に示すように、固定ピン用スプリング８２を外嵌した固定ピン８１は、脚ホルダー７の外面に開口する収容凹部７４ａに係止端部側から挿入されて、収容凹部７４ａに収容される。収容凹部７４ａに収容された固定ピン８１は、収容凹部７４ａから脚ホルダー７の外側に先端部を突出させると共に、嵌合溝８１ｂの形成された係止端部をピン挿通孔７４ｂから脚ホルダー７の内面側に突出させている。ピン挿通孔７４ｂからピン収容ボス７４の外部に突出した嵌合溝８１ｂには、嵌合環体８３が嵌合される。固定ピン用スプリング８２は、フランジ部８１ａにその一端を係止され、収容凹部７４ａの最奥部に他端を係止されて、収容凹部７４ａに収容される。収容凹部７４ａに収容された固定ピン用スプリング８２は、外方から圧縮されると弾発力を生じさせ、フランジ部８１ａを外方に付勢する。これにより、固定ピン８１には、先端を脚ホルダー７の外方に突出させる付勢力が働く。
【００３２】
脚ベース３は、このようにして筐体Ｋに取り付けられた脚ホルダー７に支持される。図６及び図７に示すように、脚ベース３は、回転軸ボス３１を備える内面を軸支孔７２ａの開口する脚ホルダー７の外面に向かい合わせ、軸支孔７２ａに回転軸ボス３１を挿通させ、軸支ボス７２の端面から端部を突出させた回転軸ボス３１のネジ穴３１ａに、脚ベース保持用螺子８６を螺着することにより、脚ホルダー７の外面に沿って回転自在に軸支ボス７２に軸支されている。なお、脚ベース保持用螺子８６と回転軸ボス３１との間には、規制リング８６ａが介装されており、規制リング８６ａにより回転軸ボス３１の軸支ボス７２からの抜け出しが防止されている。
【００３３】
脚ホルダー７の外面と脚ベース３の内面との間には、スペーサ８４及びベアリング８５が介装される。ベアリング８５は、脚ホルダー７及び脚ベース３の間で外方及び内方に向けて作用する荷重を受けるためのものである。スペーサ８４及びベアリング８５は、この順序で回転軸ボス３１に外嵌されるようにして、脚ベース３の内面側に装着される。ベアリング８５は、脚ホルダー７の内側の突条７５ａ内に嵌め込まれるようにして、脚ホルダー７とスペーサ８４との間に位置している。
【００３４】
次に、図８〜図１０を参照して、プロジェクタ装置Ｐが備えるハンドル支持機構によるハンドル２の伸縮動作を説明する。ハンドル２の伸縮動作の一例として、脚部２１を伸長限度まで伸長させた最大伸長時から、縮短限度まで縮短させた最小伸長時に移行する際の動作を説明する。
【００３５】
図８〜図１０は、ハンドル支持機構によるハンドル２の伸縮動作を説明する図２のＡ−Ａ線での断面図であり、図８はハンドル２の最大伸長時、図９は固定解除時、図１０は最小伸長時、をそれぞれ示している。
【００３６】
図８に示す脚部２１の最大伸長時には、ハンドルストッパ２６が脚ベース３のストッパ収容部３Ｄに収容されると共に、投影高さ調整脚ケース１の移動規制ボス１６にロック溝２４が基端側の側面を当接させている。これにより、脚部２１の伸長方向への移動が規制されている。また、リリースボタン４が投影高さ調整脚ケース１の端面と操作面を面一にさせている。また、ハンドルホルダー５がスプリング５６の付勢力で筐体Ｋと反対側へ向けた回動力を付与されて、ギア５２をハンドル２の脚部２１が備えるギア２３に押し付け、ギア５２とギア２３とを嵌合させている。これにより、脚部２１の延伸方向への移動が規制されて、脚部２１が脚ベース３に固定されている。
【００３７】
この状態で、図８に矢印Ａで示すように、リリースボタン４が筐体Ｋ側に押操作されると、脚ベース３に軸支されたハンドルホルダー５が、スプリング５６の付勢力に抗して、図９に示すように、ホルダー支持軸５３（図４及び図５参照）を中心に筐体Ｋ側（図９中矢印Ｂ方向）に回動する。この回動動作に伴い、ハンドルホルダー５のギア５２と脚部２１のギア２３との嵌合が解除され、脚部２１がその延伸方向（図９中矢印Ｃ及び逆方向）に移動自在となる。
【００３８】
この状態で、図１０に示すように、ハンドル２の脚部２１を延伸方向（図１０中矢印Ｃ方向）に移動させ、脚部２１の所望の伸縮量、この例では、図１０に示す最小伸長量が得られたところで、リリースボタン４の押操作を解くと、スプリング５６の付勢力により、ハンドルホルダー５がホルダー支持軸５３（図４及び図５参照）を中心に投影高さ調整脚ケース１側に回動し、ギア５２とギア２３とが再び嵌合する。これにより、脚部２１の延伸方向への移動が規制され、ハンドルホルダー５とハンドル２とが固定される。このようにして得られた、図１０に示す脚部２１の最小伸長時には、投影高さ調整脚ケース１の移動規制ボス１６にロック溝２４の先端側の側面を当接させている。これにより、脚部２１の縮短方向への移動が規制されている。
【００３９】
次に、図１１〜図１４を参照して、プロジェクタ装置Ｐが備えるハンドル支持機構によるハンドル２の回転動作を説明する。ハンドル２の回転動作の一例として、脚部２１を底板側から外方に延ばした下向き時から、天板側から外方に延ばした上向き時に移行する際の動作を説明する。
【００４０】
図１１〜図１４は、ハンドル支持機構によるハンドル２の回転動作を説明する図３のＢ−Ｂ線での断面図であり、図１１はハンドル２の下向き時、図１２はハンドル２の４５度回転時、図１３はハンドル２の９０度回転時、図１４はハンドル２の１８０度回転時、をそれぞれ示している。
【００４１】
図１１に示す脚部２１の下向き時には、図示しないが、脚ホルダー７の回転制御用凸部７６と、脚ベース３の回転制御用凸部３３との当接により、脚ホルダー７に対する脚ベース３の後方（図３の矢印Ｄと逆方向）への回動が規制されている。また、図１１に示すように、固定ピン用スプリング８２に付勢された固定ピン８１が、図１１に矢印Ｅで示すように、先端部を固定ピン用溝３２に進入させて、固定ピン用溝３２と嵌合している。これにより、図３の矢印Ｄ方向及び逆方向への脚ベース３の回転が規制され、脚ホルダー７と脚ベース３とが固定されている。
【００４２】
この状態から、投影高さ調整脚ケース１が図３に矢印Ｄで示す方向に回転操作されると、脚ケース固定螺子５５（図４及び図５参照）により互いが組み付けられて一体化された投影高さ調整脚ケース１及び脚ベース３が、脚ベース３の回転軸ボス３１を中心に周方向に回転する。この回転動作に伴い、固定ピン用溝３２に嵌合している固定ピン８１が、球面状の先端部を固定ピン用溝３２の球面状の内面に押圧されて、固定ピン用スプリング８２の付勢力に抗して図１２に矢印Ｆで示すように収容凹部７４ａの奥方に移動し、固定ピン用溝３２との嵌合を解かれる。これに伴い、脚ホルダー７と脚ベース３との固定が解除され、図１２に示すように、固定ピン８１の先端部が回転制御体３Ａの内面上に乗り上げる。
【００４３】
その後も投影高さ調整脚ケース１に対する回動操作が続けられると、脚ベース３が、投影高さ調整脚ケース１と一体となって操作方向に回動する。脚ホルダー７と脚ベース３との固定が解除されてから、脚ベース３が回転軸ボス３１を中心として９０度回転すると、図１３に示すように、回転制御体３Ａの内面に先端を摺接させた固定ピン８１と向かい合う位置まで固定ピン用溝３２が移動してくる。これに伴い、収容凹部７４ａ内の固定ピン８１は、固定ピン用スプリング８２の付勢力により先端部を固定ピン用溝３２に侵入させる。これにより、固定ピン８１が再度固定ピン用溝３２と嵌合し、脚ホルダー７と脚ベース３とが固定される。
【００４４】
その後も、投影高さ調整脚ケース１に対する回転操作が続けられると、固定ピン用溝３２に対する固定ピン８１の嵌合が再び解けて、脚ホルダー７と脚ベース３との固定が解除される。その後、脚ベース３が更に９０度回転すると、図１４に示すように、固定ピン８１が固定ピン用スプリング８２の付勢力により固定ピン用溝３２に先端部を侵入させて両者が再び嵌合し、脚ホルダー７と脚ベース３とが固定される。このようにして得られた、図１４に示す脚部２１の１８０度回転時には、図示しないが、脚ホルダー７の回転制御用凸部７６と、脚ベース３の回転制御用凸部３３との当接により、脚ホルダー７に対する脚ベース３の後方（図３の矢印Ｄ方向）への回動が規制されている。
【００４５】
次に、プロジェクタ装置Ｐによるハンドル２の使用方法の例を説明する。図１５は、プロジェクタ装置Ｐの外観を示す斜視図であり、（ａ）は運搬時，（ｂ）はレンズ保護時の状態を、それぞれ示している。図１６は、プロジェクタ装置Ｐの外観を示す斜視図であり、（ａ）は通常設置状態，（ｂ）は反転設置状態を、それぞれ示している。
【００４６】
プロジェクタ装置Ｐでは、ハンドル支持機構によるハンドル２の脚部２１の伸縮動作により、投影用レンズＰ１の前方に向けて脚部２１を最大伸長させた図１５（ａ）に示す運搬状態から、最小伸長させた図１５（ｂ）に示す投影用レンズ保護状態へ、また、その逆へ移行させることができる。また、ハンドル支持機構によるハンドル２の脚部２１の回転動作により、脚部２１を下向きにさせた図１６（ａ）に示す通常設置状態から、上向きにさせた図１６（ｂ）に示す反転設置状態へ、また、その逆へ移行させることができる。また、ハンドル支持機構による伸縮動作及び回転動作により、運搬状態や投影用レンズ保護状態と通常設置状態との間、及び、運搬状態や投影用レンズ保護状態と反転設置状態との間での移行を行うこともできる。
【００４７】
本実施形態によれば、ハンドル２の脚部２１を筐体Ｋの左右の側面に沿って伸縮及び回転させることにより、運搬時の取っ手や保管時の投影レンズカバーとしてだけでなく、投影高さの調整にもハンドル２を用いることができる。このため、ハンドル支持機構から構成されてハンドル２の伸縮及び回転を行う投影高さ調整装置を、投影時だけでなく運搬時や保管時にも活用することができる。
【００４８】
また、本実施形態によれば、脚ベース３及びハンドルホルダー５を投影高さ調整脚ケース１に組み付けてユニット化し、脚ホルダー７に組み付けることができるため、ハンドル支持機構の組付作業を簡略化することができる。
【００４９】
また、本実施形態によれば、脚ベース３の回転制御のために動作する固定ピン８１が、脚ベース３及び脚ホルダー７とは別体として備えられていることから、脚ベース３の回転制御に伴う脚ベース３と脚ホルダー７との間での内外方向の位置ずれや傾きを抑えることができる。従って、筐体Ｋに対する脚部２１の取付位置の変動を抑え、投影高さにずれが生じるのを抑えることができる。
【００５０】
また、固定ピン用スプリング８２の付勢力で固定ピン８１を脚ベース３に常時押し付けることにより、脚ホルダー７に軸支した脚ベース３の内外方向の位置決めと、投影高さ調整脚ケース１を介して脚ベース３に外力が加えられたときの緩衝にも、固定ピン８１及び固定ピン用スプリング８２を用いることができる。
【００５１】
上記実施形態では、脚ベース３の回転軸ボス３１を、脚ホルダー７の軸支ボス７２で回転自在に支持することにより、脚ベース３を脚ホルダー７で支持した場合について説明した。しかしながら、脚ベース３の脚ホルダー７への支持方法は任意であり、例えば、脚ホルダー７に設けた環状のガイド部で、脚ベース３に備えられたスライダを支持し、ガイド部に沿ってスライダを摺動させる構成としてもよい。
【００５２】
また、ハンドルホルダー５のギア５２と脚部２１のギア２３との嵌合を解くリリースボタン４の構成は任意であり、上，下，外の何れかの方向へのリリースボタン４の移動又は回動に連動させて、スプリング５６の付勢に抗してハンドルホルダー５を回転させ、ギア５２とギア２３との嵌合を解いてもよい。また、リリースボタン４の内方への回動にハンドルホルダー５の回転動作を連動させて、ギア５２とギア２３との嵌合を解いてもよい。
【００５３】
また、脚ベース３が固定ピンを備え、脚ホルダー７が固定ピン用溝を備える構成としてもよい。また、ハンドルホルダー５のギア５２を脚部２１のギア２３に押し付ける方法も任意であり、例えば、回転制御体３Ａの外面とハンドルホルダー５の内面との間に付勢手段を介装させてもよい。また、回転制御用凸部３３と回転制御用凸部７６との当接でなく、回転制御用凸部３３と固定ピン８１との当接で脚ベース３の回転を規制してもよい。
【００５４】
また、固定ピン８１及び固定ピン用溝３２の数量は任意であり、例えば、固定ピン８１を１つ、固定ピン用溝３２を２つ備える構成としてもよい。また、固定ピン８１及び固定ピン用溝３２の数量は必ずしも一致している必要はない。また、固定ピン８１及び固定ピン用溝３２の配置態様は、脚ベース３の回転規制を行う角度に応じて適宜設定することができる。
【００５５】
また、ハンドル２の脚部２１が供えるギア２３と、ハンドルホルダー５のギア５２との何れか一方が、伸長限度から縮短限度までの脚部２１の固定を段階的に行えるだけの数の嵌合歯を備えていれば、他方が備える嵌合歯の数量は任意である。また、伸長限度及び縮短限度での脚部２１の移動規制の方法も任意である。
【図面の簡単な説明】
【００５６】
【図１】本発明の一実施形態のプロジェクタ装置の外観を示す前方からの斜視図である。
【図２】図１に示すプロジェクタ装置を示す天面図である。
【図３】図１に示すプロジェクタ装置を示す側面図である。
【図４】図１に示すプロジェクタ装置が備えるハンドル支持機構の構成の概略を示す右上方向からの分解斜視図である。
【図５】図１に示すプロジェクタ装置が備えるハンドル支持機構の構成の概略を示す正面上方向からの分解斜視図である。
【図６】図２のＡ−Ａ線でのプロジェクタ装置の断面図である。
【図７】図３のＢ−Ｂ線でのプロジェクタ装置の断面図である。
【図８】図４及び図５に示すハンドル支持機構によるハンドルの伸縮動作を説明する第１の断面図である。
【図９】図４及び図５に示すハンドル支持機構によるハンドルの伸縮動作を説明する第２の断面図である。
【図１０】図４及び図５に示すハンドル支持機構によるハンドルの伸縮動作を説明する第３の断面図である。
【図１１】図４及び図５に示すハンドル支持機構によるハンドルの回転動作を説明する第１の断面図である。
【図１２】図４及び図５に示すハンドル支持機構によるハンドルの回転動作を説明する第２の断面図である。
【図１３】図４及び図５に示すハンドル支持機構によるハンドルの回転動作を説明する第３の断面図である。
【図１４】図４及び図５に示すハンドル支持機構によるハンドルの回転動作を説明する第４の断面図である。
【図１５】図１に示すプロジェクタ装置の外観を示す前方からの斜視図であり、（ａ）は運搬時，（ｂ）はレンズ保護時の状態を、それぞれ示している。
【図１６】図１に示すプロジェクタ装置の外観を示す前方からの斜視図であり、（ａ）は通常設置状態，（ｂ）は反転設置状態を、それぞれ示している。
【符号の説明】
【００５７】
Ｐ          プロジェクタ装置
Ｋ          筐体
Ｋ１        天ケース
Ｋ２        底ケース
Ｐ１        投影用レンズ
１          投影高さ調整脚ケース
１６        移動規制ボス
２          ハンドル
２１        脚部
２３        ギア（被嵌合部）
２６        ハンドルストッパ
３          脚ベース（支持部，伸長量調整部）
３Ａ        回転制御体
３Ｂ        ホルダ収容部
３Ｃ        ハンドル支持部
３１        回転軸ボス
３１ａ      ネジ穴
３２        固定ピン用溝
３３        回転制御用凸部
３９        下側突起
４          リリースボタン（規制解除手段）
５          ハンドルホルダー（支持部，伸長量調整部）
５２        ギア（嵌合部）
５３        ホルダー支持軸
５４        上側突起
５６        スプリング（移動規制手段）
７          脚ホルダー（支持部，回転量調整部，回転支持部）
７２        軸支ボス
７２ａ      軸支孔
７４        ピン収容ボス
７４ａ      収容凹部
７４ｂ      ピン挿通孔
７６        回転制御用凸部
８１        固定ピン（回転規制手段，回転規制体）
８１ａ      フランジ部
８１ｂ      嵌合溝
８２        固定ピン用スプリング（回転規制手段，付勢手段）
８３        嵌合環体
８６        脚ベース保持用螺子
８６ａ      規制リング
【図１】
2009134229.tif 000003
【図２】
2009134229.tif 000004
【図３】
2009134229.tif 000005
【図４】
2009134229.tif 000006
【図５】
2009134229.tif 000007
【図６】
2009134229.tif 000008
【図７】
2009134229.tif 000009
【図８】
2009134229.tif 000010
【図９】
2009134229.tif 000011
【図１０】
2009134229.tif 000012
【図１１】
2009134229.tif 000013
【図１２】
2009134229.tif 000014
【図１３】
2009134229.tif 000015
【図１４】
2009134229.tif 000016
【図１５】
2009134229.tif 000017
【図１６】
2009134229.tif 000018